(57)【要約】【課題】ユーザが携帯端末の表示部を閲覧しているときに、表示部の表示やバックライトが不意にＯＦＦしたり消灯したりすることを防止する。【解決手段】ユーザが携帯端末１０を保持しているか否かをタッチセンサ１５の接触検知結果により判別し、保持していることが検出された場合に表示部１３の表示をＯＮ状態にし、表示部１３の表示ＯＮ後に携帯端末１０に備えられた照度センサ１６の測定値を取得し、測定された明るさが所定の明るさより暗い場合にバックライト１４を点灯する。【選択図】      図１
2008079127.tif 000002
【特許請求の範囲】
【請求項１】
バックライト付き表示部を備えた携帯端末であって、
携帯端末保持部分に備えられ接触を検知するタッチセンサと、周辺の明るさを測定する照度センサと、前記タッチセンサにより接触が検知された場合に前記表示部の表示をＯＮ状態にする手段と、前記表示部の表示ＯＮ後に前記照度センサの測定値を取得し、測定された明るさが所定の明るさより暗い場合に前記バックライトを点灯する手段とを有することを特徴とする携帯端末。
【請求項２】
正面部にバックライト付き正面表示部を、背面部にバックライト付き背面表示部をそれぞれ備えた折り畳み式の携帯端末であって、
携帯端末保持部分に備えられ接触を検知するタッチセンサと、正面部に備えられ周辺の明るさを測定する正面照度センサと、背面部に備えられ周辺の明るさを測定する背面照度センサと、携帯端末の開閉状態を検出する手段と、開状態時に、前記タッチセンサにより接触が検知された場合に前記正面表示部の表示をＯＮ状態にする手段と、前記正面表示部の表示ＯＮ後に前記正面照度センサの測定値を取得し、測定された明るさが所定の明るさより暗い場合に前記正面表示部のバックライトを点灯する手段と、閉状態時に、前記タッチセンサにより接触が検知された場合に前記背面表示部の表示をＯＮ状態にする手段と、前記背面表示部の表示ＯＮ後に前記背面照度センサの測定値を取得し、測定された明るさが所定の明るさより暗い場合に前記背面表示部のバックライトを点灯する手段とを有することを特徴とする携帯端末。
【請求項３】
前記タッチセンサを複数備え、前記接触の検知において、全てのタッチセンサが接触を検知した場合、または、所定数もしくは所定割合のタッチセンサが接触を検知した場合に接触されていると判別することを特徴とする請求項１または２記載の携帯端末。
【請求項４】
前記接触の検知において、前記タッチセンサへの接触が所定時間以上継続した場合に接触されていると判別することを特徴とする請求項１，２または３記載の携帯端末。
【請求項５】
携帯端末が保持されている場合に表示部の表示をＯＮ状態にし、さらに、周辺の明るさが所定の明るさより暗い場合に前記表示部のバックライトを点灯することを特徴とする携帯端末の表示部・バックライト制御方法。
【請求項６】
バックライト付き表示部を備えた携帯端末の表示部・バックライト制御方法であって、
ユーザが携帯端末を保持しているか否かを複数のタッチセンサの接触検知結果により判別するステップと、保持していることが検出された場合に前記表示部の表示をＯＮ状態にするステップと、前記表示部の表示ＯＮ後に携帯端末に備えられた照度センサの測定値を取得し、測定された明るさが所定の明るさより暗い場合に前記バックライトを点灯するステップとを有することを特徴とする携帯端末の表示部・バックライト制御方法。
【請求項７】
正面部にバックライト付き正面表示部を、背面部にバックライト付き背面表示部をそれぞれ備えた携帯端末の表示部・バックライト制御方法であって、
ユーザが携帯端末を保持しているか否かを複数のタッチセンサの接触検知結果により判別するステップと、携帯端末の開閉状態を開閉検出手段の検出結果により判別するステップと、開状態時に、携帯端末が保持されていることを検出した場合に前記正面表示部の表示をＯＮ状態にするステップと、前記正面表示部の表示ＯＮ後に携帯端末の正面部に備えられた正面照度センサの測定値を取得し、測定された明るさが所定の明るさより暗い場合に前記正面表示部のバックライトを点灯するステップと、閉状態時に、携帯端末が保持されていることを検出した場合に前記背面表示部の表示をＯＮ状態にするステップと、前記背面表示部の表示ＯＮ後に携帯端末の背面部に備えられた背面照度センサの測定値を取得し、測定された明るさが所定の明るさより暗い場合に前記背面表示部のバックライトを点灯するステップとを有することを特徴とする携帯端末の表示部・バックライト制御方法。
【請求項８】
ユーザが携帯端末を保持しているか否かを複数のタッチセンサの接触検知結果により判別する機能、保持していることが検出された場合に表示部の表示をＯＮ状態にする機能、前記表示部の表示ＯＮ後に照度センサの測定値を取得し、測定された明るさが所定の明るさより暗い場合に前記表示部のバックライトを点灯する機能、をコンピュータに実現させるためのプログラム。
【請求項９】
ユーザが携帯端末を保持しているか否かを複数のタッチセンサの接触検知結果により判別する機能、携帯端末の開閉状態を開閉検出手段の検出結果により判別する機能、開状態時に、携帯端末が保持されていることを検出した場合に正面表示部の表示をＯＮ状態にする機能、前記正面表示部の表示ＯＮ後に正面照度センサの測定値を取得し、測定された明るさが所定の明るさより暗い場合に前記正面表示部のバックライトを点灯する機能、閉状態時に、携帯端末が保持されていることを検出した場合に背面表示部の表示をＯＮ状態にする機能、前記背面表示部の表示ＯＮ後に背面照度センサの測定値を取得し、測定された明るさが所定の明るさより暗い場合に前記背面表示部のバックライトを点灯する機能、をコンピュータに実現させるためのプログラム。
【発明の詳細な説明】
【技術分野】
【０００１】
本発明は、携帯端末，携帯端末の表示部・バックライト制御方法およびプログラムに関し、特にユーザの筐体保持状況や周囲の明るさに基づいて制御を行う携帯端末，携帯端末の表示部・バックライト制御方法およびプログラムに関する。
【背景技術】
【０００２】
携帯電話機等の携帯端末は、操作時や着信時に相手電話番号や電子メールの本文等を表示する表示部を有している。表示部としては、バックライトで照明される透過型の液晶表示パネルが用いられることが多い。このバックライトの消費電力は比較的高いため、電池の消耗防止のために、例えば、特開２００３−２９８６８４号公報（特許文献１）に開示されているようなバックライトの照明制御が行われている。この特許文献１においては、操作キーが押下されたときに時間計測を開始し、所定時間経過しても次のキー押下操作が無い場合に、ディスプレーバックライトおよび操作キーバックライトを消灯することが記載されている。
【０００３】
【特許文献１】特開２００３−２９８６８４号公報（段落「００２２」〜「００２４」、図４）
【発明の開示】
【発明が解決しようとする課題】
【０００４】
上述した特許文献１においては、ユーザが表示部に電子メールや画像等を表示させて閲覧しているにも関わらず、所定時間以上キー押下操作がなされなかったことに起因して表示部のバックライトが消灯してしまう状況が発生するという問題がある。
【０００５】
また、上述した特許文献１においては、バックライトの照明制御については記載されているものの、液晶表示パネルの表示のＯＮ，ＯＦＦ制御については何ら記載されていない。
【０００６】
本発明の目的は、以上の課題を解決する携帯端末，携帯端末の表示部・バックライト制御方法およびプログラムを提供することにある。
【課題を解決するための手段】
【０００７】
本発明の第１の携帯端末は、バックライト付き表示部を備えた携帯端末であって、
携帯端末保持部分に備えられ接触を検知するタッチセンサと、周辺の明るさを測定する照度センサと、前記タッチセンサにより接触が検知された場合に前記表示部の表示をＯＮ状態にする手段と、前記表示部の表示ＯＮ後に前記照度センサの測定値を取得し、測定された明るさが所定の明るさより暗い場合に前記バックライトを点灯する手段とを有する。
【０００８】
本発明の第２の携帯端末は、正面部にバックライト付き正面表示部を、背面部にバックライト付き背面表示部をそれぞれ備えた折り畳み式の携帯端末であって、
携帯端末保持部分に備えられ接触を検知するタッチセンサと、正面部に備えられ周辺の明るさを測定する正面照度センサと、背面部に備えられ周辺の明るさを測定する背面照度センサと、携帯端末の開閉状態を検出する手段と、開状態時に、前記タッチセンサにより接触が検知された場合に前記正面表示部の表示をＯＮ状態にする手段と、前記正面表示部の表示ＯＮ後に前記正面照度センサの測定値を取得し、測定された明るさが所定の明るさより暗い場合に前記正面表示部のバックライトを点灯する手段と、閉状態時に、前記タッチセンサにより接触が検知された場合に前記背面表示部の表示をＯＮ状態にする手段と、前記背面表示部の表示ＯＮ後に前記背面照度センサの測定値を取得し、測定された明るさが所定の明るさより暗い場合に前記背面表示部のバックライトを点灯する手段とを有する。
【０００９】
本発明の第３の携帯端末は、本発明の第１または第２の携帯端末において、前記タッチセンサを複数備え、前記接触の検知において、全てのタッチセンサが接触を検知した場合、または、所定数もしくは所定割合のタッチセンサが接触を検知した場合に接触されていると判別することを特徴とする。
【００１０】
本発明の第４の携帯端末は、本発明の第１，第２または第３の携帯端末において、前記接触の検知において、前記タッチセンサへの接触が所定時間以上継続した場合に接触されていると判別することを特徴とする。
【００１１】
本発明の第１の携帯端末の表示部・バックライト制御方法は、携帯端末が保持されている場合に表示部の表示をＯＮ状態にし、さらに、周辺の明るさが所定の明るさより暗い場合に前記表示部のバックライトを点灯することを特徴とする。
【００１２】
本発明の第２の携帯端末の表示部・バックライト制御方法は、バックライト付き表示部を備えた携帯端末の表示部・バックライト制御方法であって、
ユーザが携帯端末を保持しているか否かを複数のタッチセンサの接触検知結果により判別するステップと、保持していることが検出された場合に前記表示部の表示をＯＮ状態にするステップと、前記表示部の表示ＯＮ後に携帯端末に備えられた照度センサの測定値を取得し、測定された明るさが所定の明るさより暗い場合に前記バックライトを点灯するステップとを有する。
【００１３】
本発明の第３の携帯端末の表示部・バックライト制御方法は、正面部にバックライト付き正面表示部を、背面部にバックライト付き背面表示部をそれぞれ備えた携帯端末の表示部・バックライト制御方法であって、
ユーザが携帯端末を保持しているか否かを複数のタッチセンサの接触検知結果により判別するステップと、携帯端末の開閉状態を開閉検出手段の検出結果により判別するステップと、開状態時に、携帯端末が保持されていることを検出した場合に前記正面表示部の表示をＯＮ状態にするステップと、前記正面表示部の表示ＯＮ後に携帯端末の正面部に備えられた正面照度センサの測定値を取得し、測定された明るさが所定の明るさより暗い場合に前記正面表示部のバックライトを点灯するステップと、閉状態時に、携帯端末が保持されていることを検出した場合に前記背面表示部の表示をＯＮ状態にするステップと、前記背面表示部の表示ＯＮ後に携帯端末の背面部に備えられた背面照度センサの測定値を取得し、測定された明るさが所定の明るさより暗い場合に前記背面表示部のバックライトを点灯するステップとを有する。
【００１４】
本発明の第１のプログラムは、ユーザが携帯端末を保持しているか否かを複数のタッチセンサの接触検知結果により判別する機能、保持していることが検出された場合に表示部の表示をＯＮ状態にする機能、前記表示部の表示ＯＮ後に照度センサの測定値を取得し、測定された明るさが所定の明るさより暗い場合に前記表示部のバックライトを点灯する機能、をコンピュータに実現させる。
【００１５】
本発明の第２のプログラムは、ユーザが携帯端末を保持しているか否かを複数のタッチセンサの接触検知結果により判別する機能、携帯端末の開閉状態を開閉検出手段の検出結果により判別する機能、開状態時に、携帯端末が保持されていることを検出した場合に正面表示部の表示をＯＮ状態にする機能、前記正面表示部の表示ＯＮ後に正面照度センサの測定値を取得し、測定された明るさが所定の明るさより暗い場合に前記正面表示部のバックライトを点灯する機能、閉状態時に、携帯端末が保持されていることを検出した場合に背面表示部の表示をＯＮ状態にする機能、前記背面表示部の表示ＯＮ後に背面照度センサの測定値を取得し、測定された明るさが所定の明るさより暗い場合に前記背面表示部のバックライトを点灯する機能、をコンピュータに実現させる。
【発明の効果】
【００１６】
本発明においては、ユーザが携帯端末を保持している場合にだけ表示部の表示をＯＮ状態にするようにしているため、非使用時の無駄な表示がなくなり、表示部の焼き付きを防止できるという効果が得られる。
【００１７】
また、本発明においては、周囲が暗い場合にだけバックライトを点灯するようにしているため、周囲が明るい場合の無駄な点灯がなくなり、電力消費を節減できるという効果が得られる。
【００１８】
また、本発明においては、ユーザが携帯端末を保持しているときは表示部を表示させ、周囲の明るさによってバックライトを点灯させているため、ユーザが携帯端末を持っている限り表示部やバックライトがＯＦＦすることはない。これにより、ユーザが表示部を閲覧中にバックライトが突然消灯してしまうというような事態を解消できるという効果が得られる。
【発明を実施するための最良の形態】
【００１９】
本発明の実施の形態について図面を参照して詳細に説明する。
【００２０】
図１は、本発明の一実施の形態の構成を示す図である。本発明の携帯端末１０は、携帯電話機，ＰＨＳ(Personal Handyphone System)，ＰＤＡ(Personal Digital Assistance)
等の携帯情報端末である。この携帯端末１０は、図１に示すように、無線部１１と、キー入力部１２と、表示部１３と、バックライト１４と、タッチセンサ１５と、照度センサ１６と、開閉検出部１７と、記憶部１８と、制御部１９とを備えている。
【００２１】
無線部１１は図示しない基地局との間でアンテナを介して無線信号の送受信を行う通信装置であり、キー入力部１２はテンキー，機能キー，ポインティングデバイス等の入力装置である。表示部１３はＬＣＤ(Liquid Crystal Display)等の表示装置であり、本実施の形態においては折り畳み式携帯端末を想定しているため、正面表示部１３１と背面表示部１３２とを備えている。なお、正面表示部１３１は折り畳み式携帯端末を開いた状態で見る表示装置であり、開いた状態では前面側に位置している（図２参照）。背面表示部１３２は閉じた状態で見る表示装置であり、開いた状態では背面側に位置している（図４参照）。バックライト１４は発光ダイオード等の光源により照光する照明装置であり、キーバックライト１４１と、正面表示部バックライト１４２と、背面表示部バックライト１４３とを備えている。キーバックライト１４１はキー入力部１２を、正面表示部バックライト１４２は正面表示部１３１を、背面表示部バックライト１４３は背面表示部１３２をそれぞれ照明する。
【００２２】
タッチセンサ１５は、携帯端末１０の使用時にユーザの手により保持される部分（例えば、図２に示すように、下部筐体の側面部分等）に備えられ、接触されたことを検知するセンサであり、第１タッチセンサ１５１と第２タッチセンサ１５２とを備えている。これらのセンサは、例えば図２に示すように、第１タッチセンサ１５１が下部筐体の右側面部分に、第２タッチセンサ１５２が下部筐体の左側面部分に備えられ、両方のセンサが接触を検知したときに、ユーザにより携帯端末１０が保持され使用状態となったと判別する。このタッチセンサ１５の構成を図５（タッチセンサ１５の構成の一例を示す図）に示す。図５を参照すると、タッチセンサ１５は、第１タッチセンサ１５１と、第２タッチセンサ１５２と、電源１５３と、複数の抵抗１５４と、論理積回路１５５で構成されている。詳細には、第１タッチセンサ１５１，第２タッチセンサ１５２の一方は電源１５３に接続され、他方は抵抗１５４のそれぞれに接続されている。そして、抵抗１５４の他方は接地され、第１タッチセンサ１５１，第２タッチセンサ１５２と抵抗１５４の間から論理積回路１５５への入力が行われる。タッチセンサ１５１，タッチセンサ１５２に接触があると、電源１５３と抵抗１５４の間のタッチセンサ１５１，タッチセンサ１５２のスイッチが閉じられ、抵抗１５４が通電される状態になる。論理積回路１５５は、第１タッチセンサ１５１，第２タッチセンサ１５２の両方が接触されると「高」レベルの感知情報を形成し、それ以外（両センサとも接触なし、または、いずれか一方のセンサのみ接触）は「低」レベルの非感知情報を形成する。
【００２３】
照度センサ１６は、携帯端末１０の周囲の明るさを測定するセンサであり、正面照度センサ１６１と、背面照度センサ１６２とを備えている。正面照度センサ１６１は携帯端末１０を開いたときの正面表示部１３１周辺の明るさを測定するセンサであり、背面照度センサ１６２は携帯端末１０を閉じたときの背面表示部１３２周辺の明るさを測定するセンサである。正面照度センサ１６１の設置場所の例を図２に、背面照度センサ１６２の設置場所の例を図４にそれぞれ示している。開閉検出部１７は、携帯端末１０の上部筐体，下部筐体の開閉状態を検出する機能を備えている。この開閉検出部１７の例としては、例えば、特開２００２−１２５０２５号公報に磁石と磁気センサを用いたものが、また、特開２００１−２２４７２号公報に発光部，受光部によるものが開示されている。本発明は開閉検出手段には限定されず、また、検出方法の詳細を説明するのが主旨でもないため、これ以上の説明は省略する。記憶部１８は、制御部１９の動作を制御するプログラム等が格納されている記憶装置である。
【００２４】
制御部１９は、ＣＰＵ(Central Processing Unit)等の制御装置であり、プログラムに
より動作を制御される。この制御部１９は、
・筐体が開状態のときは正面表示部１３１，キーバックライト１４１，正面表示部バックライト１４２を、閉状態のときは背面表示部１３２，背面表示部バックライト１４３を制御対象として選択する機能と、
・タッチセンサ１５により筐体の保持が検出された場合に、表示部１３の表示をＯＮ状態にするとともに、照度センサ１６の測定結果を取得する機能と、
・照度センサ１６の測定結果が所定値より低かった（暗い状態）場合に、バックライト１４を点灯する機能と、
を備えている。
【００２５】
図２は携帯端末１０の右斜め正面図であり、図３は携帯端末１０の左斜め正面図、図４は携帯端末１０の背面図である。これらの図面において、携帯端末１０の正面側（前面側）にはキー入力部１２や正面表示部１３１，正面照度センサ１６１等が備えられ、背面側には背面表示部１３２や背面照度センサ１６２等が備えられている。第１タッチセンサ１５１，第２タッチセンサ１５２は、下部筐体の左右側面にそれぞれ備えられている。なお、背面にタッチセンサ１５を備えると、背面を底にして携帯端末１０を置いた場合にタッチセンサ１５が接触を検知し、ユーザが保持していると誤認識してしまう可能性があるため、背面側にタッチセンサ１５は設置しない。ユーザが持ったときに確実に手が接触する下部筐体の側面が望ましい。また、タッチセンサ１５が１個であると、ユーザが携帯端末１０の使用を止め手を放して置いたつもりが、ストラップ等の接触によりユーザ保持状態と誤認識される場合があるため、タッチセンサ１５は複数備えるのが望ましい。
【００２６】
次に、本発明の一実施の形態の動作について図１，図６および図７を参照して説明する。図６は本発明の一実施の形態（その１）の動作を示すフローチャートであり、図７は本発明の一実施の形態（その２）の動作を示すフローチャートである。
【００２７】
図６を参照すると、ユーザにより携帯端末１０の電源がＯＮされると、制御部１９は開閉検出部１７の検出結果を取得し、携帯端末１０が開状態であればステップＡ２に、閉状態であれば図７のステップＢ１に進む（ステップＡ１）。
【００２８】
携帯端末１０が開状態であった場合には、制御部１９は携帯端末１０が使用中であるかを判別する。詳細には、制御部１９はタッチセンサ１５の出力が「高」レベル（接触感知情報）か「低」レベル（接触非感知情報）かを取得し、「高」レベルであれば使用中、「低」レベルであれば非使用中と判別する。すなわち、ユーザが使用のために携帯端末１０を保持し、第１タッチセンサ１５１，第２タッチセンサ１５２の両方に接触している場合は使用中と判別される（ステップＡ２）。
【００２９】
ステップＡ２において、非使用中であった場合は、制御部１９は正面表示部１３１の表示がＯＮ状態かを確認し（ステップＡ３）、ＯＮ状態であった場合はＯＦＦ状態にする（ステップＡ４）。因みに、電源ＯＮしたばかりの場合はステップＡ３では当然ＯＦＦ状態であるが、ステップＡ１３からステップＡ１に戻って動作を繰り返す場合はＯＮ状態となっている。次に、制御部１９は正面表示部バックライト１４２が点灯状態であるかを確認し（ステップＡ５）、点灯状態であった場合は消灯する（ステップＡ６）。続いて、制御部１９はキーバックライト１４１を消灯する（ステップＡ７）。なお、ステップＡ３，Ａ５でＮＯの場合、またはステップＡ７の動作の後はステップＡ１に戻り、開閉状態や使用中，非使用中，周囲の明るさ等の、その後の変化に対応した動作を繰り返し行う。
【００３０】
ステップＡ２において、使用中であった場合は、制御部１９は正面表示部１３１の表示がＯＮ状態かを確認し（ステップＡ８）、ＯＮ状態でなかった場合はＯＮ状態にする（ステップＡ９）。続いて、制御部１９は正面照度センサ１６１の測定値を取得して所定値と比較し（ステップＡ１０）、所定値以上であった場合は、周囲が明るい状態であることを識別し、ステップＡ５に進む（ステップＡ１０→ステップＡ５）。ステップＡ１０において、所定値未満であった場合は、制御部１９は周囲が暗い状態であることを識別し、正面表示部バックライト１４２を点灯する（ステップＡ１０→ステップＡ１１）。続いて、制御部１９はキーバックライト１４１が点灯状態であるかを確認し（ステップＡ１２）、点灯状態でなかった場合は点灯する（ステップＡ１３）。この後、ステップＡ１に戻り、開閉状態や使用中，非使用中，周囲の明るさ等の、その後の変化に対応した動作を繰り返し行う。
【００３１】
次に、ステップＡ１において、携帯端末１０が閉状態であった場合の動作について図７を参照して説明する。
【００３２】
ステップＡ１において、携帯端末１０が閉状態であった場合は、制御部１９は携帯端末１０が使用中であるかを判別する。判別方法はステップＡ２で説明した通りである（図７のステップＢ１）。
【００３３】
ステップＢ１において、非使用中であった場合は、制御部１９は背面表示部１３２の表示がＯＮ状態かを確認し（ステップＢ２）、ＯＮ状態であった場合はＯＦＦ状態にする（ステップＢ３）。次に、制御部１９は背面表示部バックライト１４３が点灯状態であるかを確認し（ステップＢ４）、点灯状態であった場合は消灯する（ステップＢ５）。なお、ステップＢ２，Ｂ４でＮＯの場合、またはステップＢ５の動作の後は図６のステップＡ１に戻り、開閉状態や使用中，非使用中，周囲の明るさ等の、その後の変化に対応した動作を繰り返し行う。
【００３４】
ステップＢ１において、使用中であった場合は、制御部１９は背面表示部１３２の表示がＯＮ状態かを確認し（ステップＢ６）、ＯＮ状態でなかった場合はＯＮ状態にする（ステップＢ７）。続いて、制御部１９は背面照度センサ１６２の測定値を取得して所定値と比較し（ステップＢ８）、所定値以上であった場合は、周囲が明るい状態であることを識別し、ステップＢ４に進む（ステップＢ８→ステップＢ４）。ステップＢ８において、所定値未満であった場合は、制御部１９は周囲が暗い状態であることを識別し、背面表示部バックライト１４３を点灯する（ステップＢ８→ステップＢ９）。この後、図６のステップＡ１に戻り、開閉状態や使用中，非使用中，周囲の明るさ等の、その後の変化に対応した動作を繰り返し行う。
【００３５】
以上説明したように、本実施の形態においては、携帯端末１０の開閉状態に応じて正面表示部１３１の表示制御と背面表示部１３２の表示制御とを切り換えているため、ユーザが必要とする表示部１３だけを的確に表示制御できるという効果が得られる。
【００３６】
また、本実施の形態においては、ユーザが携帯端末１０を保持している場合にだけ表示部１３の表示をＯＮ状態にするようにしているため、非使用時の無駄な表示がなくなり、表示部１３の焼き付きを防止できるという効果が得られる。
【００３７】
また、本実施の形態においては、周囲が暗い場合にだけバックライト１４を点灯するようにしているため、周囲が明るい場合の無駄な点灯がなくなり、電力消費を節減できるという効果が得られる。
【００３８】
また、本実施の形態においては、ユーザが携帯端末１０を保持しているときは表示部１３を表示させ、周囲の明るさによってバックライト１４を点灯させているため、ユーザが携帯端末１０を持っている限り表示部１３やバックライト１４がＯＦＦすることはない。これにより、ユーザが表示部１３を閲覧中にバックライト１４が突然消灯してしまうというような事態を解消できるという効果が得られる。
【００３９】
また、本実施の形態においては、図６，図７において、ステップＡ３，Ａ５，Ｂ２，Ｂ４でＮＯの場合、または、ステップＡ７，Ａ１３，Ｂ５，Ｂ９の動作の後はステップＡ１に戻り、その後の変化に対応した動作を繰り返し行っている。これにより、移動等による携帯端末１０周囲の明るさの変化や、開閉状態の変化、使用，非使用の変化が生じた場合にも、それぞれの状態に応じた表示制御が行えるという効果が得られる。
【００４０】
次に、本発明の応用例，変形例等について説明する。
【００４１】
・上述した一実施の形態においては、図６のステップＡ２または図７のステップＢ１において、携帯端末１０がユーザに保持されているか（使用中か）を、タッチセンサ１５のその時点における出力により判断している。これに対し、その時点の出力だけでなく、その時点から保持された状態が所定時間（例えば、３秒間）継続した場合に保持状態であることを認識するようにしてもよい。この場合、制御部１９はタッチセンサ１５の出力が高レベル（接触状態）であることを識別すると継続して出力監視を行い、図示しないカウンタにより所定時間を計測し、所定時間継続してタッチセンサ１５の出力が高レベルであった場合に保持状態と判断する。これにより、瞬間的な誤接触等による誤検出が防止できるという効果が得られる。
また、この所定時間継続して監視するという方法は、保持状態（使用中）の検出だけでなく、保持していない状態（非使用時）の検出にも適用可能である。すなわち、図６のステップＡ２または図７のステップＢ１において、制御部１９はタッチセンサ１５の出力が低レベル（非接触状態）であることを識別すると継続して出力監視を行い、図示しないカウンタにより所定時間を計測し、所定時間継続してタッチセンサ１５の出力が低レベルであった場合に保持されていない状態と判断する。これにより、ユーザが使用中に瞬間的に誤って手を離してしまったような場合の誤検出を防止できるという効果が得られる。
【００４２】
・上述した一実施の形態においては、図６，図７において、ステップＡ３，Ａ５，Ｂ２，Ｂ４でＮＯの場合、または、ステップＡ７，Ａ１３，Ｂ５，Ｂ９の動作の後はステップＡ１に戻り、その後の変化に対応した動作を繰り返し行っている。これに対し、上記ステップの後、所定時間（例えば、５秒間）経過後にステップＡ１に戻るようにしてもよい。これにより、すぐにステップＡ１に戻るのに比べ、制御部１９の処理が軽減されるという効果が得られる。
【００４３】
・上述した一実施の形態においては、折り畳み式携帯端末を想定して説明したが、ストレートタイプの携帯端末にも本発明の適用は可能である。ストレートタイプの携帯端末においては、図１の一実施の形態の構成において、開閉検出部１７，背面表示部１３２，背面表示部バックライト１４３，背面照度センサ１６２が削除された構成となる。また、動作においては、図６におけるステップＡ１（筐体の開閉状態検出）の動作が不要となる点と、筐体が閉じられた状態における背面部の表示制御動作が不要となるため図７が削除される点が、一実施の形態と異なる点である。
【００４４】
・上述した一実施の形態においては、二つのタッチセンサを用いて説明したが、さらに多くのタッチセンサを用いるようにしてもよい。この場合は、全てのタッチセンサに接触している場合に保持状態（使用中）と判断してもよいし、所定数または所定の割合のタッチセンサに接触している場合に保持状態と判断するようにしてもよい。
【００４５】
・上述した一実施の形態においては、携帯端末１０は携帯電話機，ＰＨＳ，ＰＤＡ等の携帯情報端末として説明したが、これらに限定されず、ユーザが手に持って使用する端末であれば本発明を適用可能なことは明らかである。
【図面の簡単な説明】
【００４６】
【図１】本発明の一実施の形態の構成を示す図である。
【図２】携帯端末１０の右斜め正面図である。
【図３】携帯端末１０の左斜め正面図である。
【図４】携帯端末１０の背面図である。
【図５】タッチセンサ１５の構成の一例を示す図である。
【図６】本発明の一実施の形態の動作（その１）を示すフローチャートである。
【図７】本発明の一実施の形態の動作（その２）を示すフローチャートである。
【符号の説明】
【００４７】
１０    携帯端末
１１    無線部
１２    キー入力部
１３    表示部
１３１    正面表示部
１３２    背面表示部
１４    バックライト
１４１    キーバックライト
１４２    正面表示部バックライト
１４３    背面表示部バックライト
１５    タッチセンサ
１５１    第１タッチセンサ
１５２    第２タッチセンサ
１５３    電源
１５４    抵抗
１５５    論理積回路
１６    照度センサ
１６１    正面照度センサ
１６２    背面照度センサ
１７    開閉検出部
１８    記憶部
１９    制御部
【図１】
2008079127.tif 000003
【図２】
2008079127.tif 000004
【図３】
2008079127.tif 000005
【図４】
2008079127.tif 000006
【図５】
2008079127.tif 000007
【図６】
2008079127.tif 000008
【図７】
2008079127.tif 000009